(57)【特許請求の範囲】
【請求項１】
平面視が略長方形状とされたユニットルームの内部における一方の短辺側を、洋式大便器を設置したトイレルームとし、他方の短辺側を、シャワー装置を設置したシャワールームとし、前記ユニットルームの一方の長辺側に、出入口として三枚引き戸を設置したトイレ・シャワー室ユニットであって、
前記一方の短辺側の壁面と他方の長辺側の壁面との間に第一の入隅壁面を設けて、当該第一の入隅壁面に前記洋式大便器を取り付け、
前記一方の短辺側の壁面と一方の長辺側の壁面との間に、前記洋式大便器と略平行に配置される第二の入隅壁面を前記一方の短辺側の壁面と前記一方の長辺側の壁面に連続して設けて、
前記一方の長辺側の壁面の横幅の端から端まで前記三枚引き戸を設置して、
前記三枚引き戸のうちの前記一方の短辺側の障子及び前記他方の短辺側の障子にそれぞれ引手を設け、前記一方の短辺側の障子の引手を、前記一方の短辺側の障子の横方向における前記第二の入隅壁面側の端部近傍に配置し、前記洋式大便器に座った使用者から手が届く範囲に設置したことを特徴とするトイレ・シャワー室ユニット。
【請求項２】
前記一方の長辺側の壁面の横幅の端から端まで前記三枚引き戸を設置し、
前記第二の入隅壁面の前記長辺側の壁面寄りに縦長の手摺りを設置したことを特徴とする請求項１記載のトイレ・シャワー室ユニット。
【請求項３】
前記他方の短辺側の壁面と一方の長辺側の壁面との間に、第三の入隅壁面を設けて、
前記他方の短辺側の壁面にシャワーチェアを設置し、
前記第三の入隅壁面の前記長辺側の壁面寄りに縦長の手摺りを設置し、
前記他方の短辺側の壁面と他方の長辺側の壁面との間に第四の入隅壁面を設けて、当該第四の入隅壁面もしくは他方の長辺側の壁面に前記シャワー装置のシャワーヘッドを保持するシャワーハンガーを取り付けたことを特徴とする請求項２記載のトイレ・シャワー室ユニット。
【発明の詳細な説明】
【技術分野】
【０００１】
本発明は、病院の個室に設置するのに好適なトイレ・シャワー室ユニットに関する。
【背景技術】
【０００２】
従来より、病院の個室に設置するトイレ・シャワー室ユニットは、種々提案されている。
特許文献１では、ユニットルームの一方をトイレルームに、他方をシャワールームにして、ユニットルームの出入口に３枚引き戸を設けた病院向けのユニットルームが提案されている。
特許文献２では、便器やシャワー設備を備えた衛生設備室を、病院の個室の廊下に近い位置に配置して、個室のベッドでの治療空間または療養空間を廊下より目視可能にするための隅切り面を衛生設備室に形成し、その隅切り面に３枚のパネルを連結した折戸を設置した病院用の衛生設備室が提案されている。
【先行技術文献】
【特許文献】
【０００３】
【特許文献１】特開２０００−２９７５５０号公報
【特許文献２】特開２００１−２９５４８５号公報
【発明の概要】
【発明が解決しようとする課題】
【０００４】
特許文献１の病院用ユニットルームでは、ユニットルームの奥壁パネルに、奥壁パネルから出入口に向けて大便器が設置されている。このため、ユニットルームの奥行寸法が長くなっていた。また、大便器の便座に座った状態で前方に手を伸ばしても３枚引き戸に手は届かないから、便座に座ったままで３枚引き戸を開けることができず、足腰が弱まった車椅子利用者は、ユニットルームの外に置いてある車椅子に一人で辿りつくことができなかった。
特許文献２の病院用衛生設備室では、大便器は衛生設備室の右側面壁の奥側に設置されている。このため、やはり、大便器の便座に座った状態で手を伸ばしても折戸に手は届かないから、便座に座ったままで折戸を開けることができず、足腰が弱まった車椅子利用者は、衛生設備室の外に置いてある車椅子に一人で辿りつくことができなかった。
このように、特許文献１，２のどちらにおいても、足腰が弱まった車椅子利用者の用便の際には、介護者が必要であった。
【０００５】
本発明は、車椅子利用者が一人でも安全にトイレを使用することができるトイレ・シャワー室ユニットを提供することを目的とする。
【課題を解決するための手段】
【０００６】
上記した課題を解決するために、請求項１のトイレ・シャワー室ユニットでは、平面視が略長方形状とされたユニットルームの内部における一方の短辺側を、洋式大便器を設置したトイレルームとし、他方の短辺側を、シャワー装置を設置したシャワールームとし、前記ユニットルームの一方の長辺側に、出入口として三枚引き戸を設置したトイレ・シャワー室ユニットであって、前記一方の短辺側の壁面と他方の長辺側の壁面との間に第一の入隅壁面を設けて、当該第一の入隅壁面に前記洋式大便器を取り付け、前記一方の短辺側の壁面と一方の長辺側の壁面との間に、前記洋式大便器と略平行に配置される第二の入隅壁面を前記一方の短辺側の壁面と前記一方の長辺側の壁面に連続して設けて、前記一方の長辺側の壁面の横幅の端から端まで前記三枚引き戸を設置して、前記三枚引き戸のうちの前記一方の短辺側の障子及び前記他方の短辺側の障子にそれぞれ引手を設け、前記一方の短辺側の障子の引手を、前記一方の短辺側の障子の横方向における前記第二の入隅壁面側の端部近傍に配置し、前記洋式大便器に座った使用者から手が届く範囲に設置したことを特徴とする。
【０００７】
これによれば、トイレ・シャワー室ユニットの長辺側の壁面に三枚引き戸を設置したので、トイレ・シャワー室ユニットへの出入口が広くなり、トイレ・シャワー室ユニットとして適する。
また、洋式大便器に座った状態で三枚引き戸を開け閉めすることが可能なので、足腰が弱った車椅子利用者が一人でトイレ・シャワー室ユニットに出入りする際の三枚引き戸の開け閉めが楽に行えるようになる。
さらに、洋式大便器に座った使用者はさらに手を伸ばして、開いた３枚引き戸の外に置いていた車椅子にも手が届く。そのため、洋式大便器に座った人が立ち上がることなく、トイレ・シャワー室ユニットの外にある車椅子を引き寄せることが可能となるので、足腰が弱まった車椅子利用者が洋式大便器から車椅子への移乗を一人で安全に行うことができる。これにより、トイレ・シャワー室ユニットと個室のベッドとの間を一人で行き来することができる。そのため、車椅子利用者のトイレ使用時における介護者の付き添いが不要となる。
【０００８】
また、請求項２のトイレ・シャワー室ユニットでは、前記一方の長辺側の壁面の横幅の端から端まで前記三枚引き戸を設置し、前記第二の入隅壁面の前記長辺側の壁面寄りに縦長の手摺りを設置したことを特徴とする。
【０００９】
これによれば、出入口近くの壁面に、見えやすい位置に縦長の手摺りを設置したので、足腰の弱い患者が一人で用便する際のトイレ・シャワー室ユニット外からトイレ・シャワー室ユニット内への移動がしやすく、安全性が高まる。
【００１０】
また、請求項３のトイレ・シャワー室ユニットでは、前記他方の短辺側の壁面と一方の長辺側の壁面との間に、第三の入隅壁面を設けて、前記他方の短辺側の壁面にシャワーチェアを設置し、前記第三の入隅壁面の前記長辺側の壁面寄りに縦長の手摺りを設置し、前記他方の短辺側の壁面と他方の長辺側の壁面との間に第四の入隅壁面を設けて、当該第四の入隅壁面もしくは他方の長辺側の壁面に前記シャワー装置のシャワーヘッドを保持するシャワーハンガーを取り付けたことを特徴とする。
【００１１】
これによれば、シャワーチェアへのアプローチ性が良好になる。
【発明の効果】
【００１２】
本発明によれば、車椅子利用者が一人でも安全にトイレを使用することができるトイレ・シャワー室ユニットを提供することができる。
【図面の簡単な説明】
【００１３】
【図１】本発明にかかる病院用トイレ・シャワー室ユニットの正面図である。
【図２】本発明にかかる病院用トイレ・シャワー室ユニットの平面図である。
【図３】図１のＡ−Ａ断面図である。
【図４】図１のＢ−Ｂ断面図である。
【図５】図１のＣ−Ｃ断面図である。
【図６】図１のＤ−Ｄ断面図である。
【図７】本発明にかかる病院用トイレ・シャワー室ユニットの内部を示す図で、内部から出入口部分を描写した図である。
【図８】本発明にかかる病院用トイレ・シャワー室ユニットを、病院の個室に設置した例を示す図である。
【図９】本発明にかかる病院用トイレ・シャワー室ユニットの使用状態を示す図である。
【図１０】本発明にかかる病院用トイレ・シャワー室ユニットの使用状態を示す図である。
【発明を実施するための形態】
【００１４】
以下、図面に基づいて、本発明の実施の形態を説明する。
図１は本発明にかかる病院用トイレ・シャワー室ユニットの平面図、図２はこの病院用トイレ・シャワー室ユニットの正面図、図３は図１のＡ−Ａ断面図、図４は図１のＢ−Ｂ断面図、図５は図１のＣ−Ｃ断面図、図６は図１のＤ−Ｄ断面図、図７はこの病院用トイレ・シャワー室ユニットの内部から出入口部分を描写した図である。
【００１５】
まず、本実施形態にかかる病院用トイレ・シャワー室ユニットの躯体構造について説明する。
【００１６】
トイレ・シャワー室ユニット１００の躯体は、床材１０１と、天井材１０２と、床材１０１と天井材１０２とを連結する壁パネル１０３と、で構成され、平面視が略長方形状のユニットルームとされている。そして、複数枚の壁パネル１０３の接合角度を変えて接続することによって、トイレ・シャワー室ユニット１００の室内に八つの側面壁１１１〜１１８を形成している。
【００１７】
図３に示すように、八つの側面壁は、出入口が設けられる正面壁１１１、正面壁１１１に正対する後方壁１１２、正面壁１１１から向かって左に位置する左側面壁１１３、正面壁１１１から向かって右に位置する右側面壁１１４、後方壁１１２と左側面壁１１３とのコーナー部を斜めに繋ぐ左後方入隅壁１１５、正面壁１１１と左側面壁１１３とのコーナー部を斜めに繋ぐ左前方入隅壁１１６、正面壁１１１と右側面壁１１４とのコーナー部を斜めに繋ぐ右前方入隅壁１１７、後方壁１１２と右側面壁１１４とのコーナー部を斜めに繋ぐ右後方入隅壁１１８、とから成る。正面壁１１１、後方壁１１２、左側面壁１１３、右側面壁１１４は、平面視で互いに９０度の角度を成しており、正面壁１１１及び後方壁１１２は、左側面壁１１３及び右側面壁１１４よりも長くなっている。４つの入隅壁１１５〜１１８は、いずれも正面壁１１１、後方壁１１２、左側面壁１１３、右側面壁１１４に対して平面視で約４５度の角度で接している。なお、正面壁１１１が本発明の「一方の長辺側の壁面」、後方壁１１２が「他方の長辺側の壁面」、左側面壁１１３が「一方の短辺側の壁面」、右側面壁１１４が「他方の短辺側の壁面」、左後方入隅壁１１５が「第一の入隅壁面」、左前方入隅壁１１６が「第二の入隅壁面」に該当する。
【００１８】
なお、本実施形態では、各側面壁１１１〜１１８は、それぞれ１枚の平面状の壁パネル１０３で構成され、各側面壁１１１〜１１８のコーナー部で隣接する壁パネルと接合されるが、隣り合う複数の側面壁を、屈曲した１枚の壁パネルで構成してもよいし、壁パネル同士の接合部を側面壁の平面部に配置することも可能である。
【００１９】
図２，図３に示すように、トイレ・シャワー室ユニット１００は、その正面壁１１１の端から端まで開口させて設けた出入口１０５に３枚引き戸１２０を備えている。
３枚引き戸１２０は、３枚の障子１２１〜１２３から構成されている。左右両側の障子１２１，１２３にはそれぞれ引手１２１ａ，１２３ａが設けられていて、左右どちらの側からでも３枚引き戸１２０を開くことができる。また、中央の障子１２２は、左右の障子１２１，１２３に連動して移動することが可能である。この３枚引き戸１２０は、全開するとトイレ・シャワー室ユニット１００の正面に障子２枚分の開口が形成される。障子１枚の横幅は約４５０ｍｍであるから、３枚引き戸１２０を全開すると約９００ｍｍの横幅の出入口となるから、車椅子をトイレ・シャワー室ユニット１００の内部に入れるのも容易となる。
なお、この正面壁１１１以外の側壁面には、出入口は設けられていない。
【００２０】
また、図３に示すように、トイレ・シャワー室ユニット１００は、床材１０１の中央に排水部１３０を設けている。この排水部１３０は、床材１０１の中央を前後方向に横断する排水溝１３１と、排水溝１３１の所定の箇所に形成されて建築排水管に連通する排水口１３２と、排水溝１３１を覆うグレーチング１３３と、を備えている。グレーチング１３３は、上面が床材１０１の上面と面一になるように、排水溝１３１の内部で支持されている。
【００２１】
さらに、トイレ・シャワー室ユニット１００は、この排水部１３０を境にして左右を区分けするカーテン（図示せず）を備えてもよい。このカーテンは、透光性のある不透明な素材で作られたものである。
【００２２】
また、図４に示すように、トイレ・シャワー室ユニット１００は、後方壁１１２の上方に照明具１４０を備えている。本実施形態では、照明具１４０は、後方壁１１２の左後方入隅壁１１５寄りに設置されている。前述したカーテンを閉めてシャワー浴をする場合であっても、カーテンが透光性を有するのでシャワールーム側もシャワー浴が可能な程度に明るく照らされる。
【００２３】
次に、本実施形態のトイレ・シャワー室ユニット１００の内部の設備について説明する。
トイレ・シャワー室ユニット１００は、その内部に、大便器２００、トイレットペーパーホルダー２２０、手洗い器２３０、シャワー浴用のシャワー装置２４０、シャワーチェア２５０、手摺りなどを設置している。これにより、トイレ・シャワー室ユニット１００は、一つのユニットルームの内部にトイレルーム及びシャワールームとしての機能を備えたものとなる。
【００２４】
まず、図３〜５を参照して、トイレ側の設備について説明する。
【００２５】
大便器２００は、温水洗浄機能を有する便座２０１を付設した洋式大便器であり、左後方入隅壁１１５に取り付けられている。また、この大便器２００は、床材１０１から浮かした状態として、左後方入隅壁１１５に取り付けられている。後方壁１１２に大便器２００を設置した場合には、トイレ・シャワー室ユニット１００の奥行寸法が大きくなってしまい、左側面壁１１３に大便器２００を設置した場合には、トイレ・シャワー室ユニット１００の横幅寸法が大きくなってしまい、いずれの場合でも病院の個室の空間を圧迫してしまう。しかし、本実施形態のように、左後方入隅壁１１５に大便器２００を壁付けして、大便器２００が出入口１０５を向くようにトイレ・シャワー室ユニット１００に対して大便器２００を斜めに配置することによって、トイレ・シャワー室ユニット１００の奥行や横幅の寸法を小さく抑えることができる。これにより、トイレ・シャワー室ユニット１００が、病院の個室の空間を大きく圧迫することはない。これについては後述する。
【００２６】
大便器２００の後方には、便座２０１に座った人が寄り掛かることが可能な背もたれ２１０を設けている。この背もたれ２１０は、左後方入隅壁１１５に取り付けられている。
【００２７】
トイレットペーパーホルダー２２０は、左前方入隅壁１１６に取り付けられている。この左前方入隅壁１１６は、便座２０１に座った位置から見て大便器２００の右側方において、大便器２００と略平行となるように配置されている。
このトイレットペーパーホルダー２２０は、便座２０１に座った人が無理な姿勢をとらずに扱える位置に配置するのが好ましい。
前述したように、大便器２００が出入口１０５を向くようにトイレ・シャワー室ユニット１００に対して大便器２００を斜めに配置しているので、便座２０１に座っている人からみて、左側面壁１１３や後方壁１１２は前方に向かうほど次第に離れるレイアウトになっている。そのため、左側面壁１１３や後方壁１１２にトイレットペーパーホルダー２２０を設置した場合は、左後方入隅壁１１５に近い位置に設置しなければならず、その場合には体を比較的大きく捻らないとトイレットペーパーホルダー２２０を使うことができなかった。
しかし、本実施形態では、大便器２００と略平行となるように左前方入隅壁１１６を設け、この左前方入隅壁１１６にトイレットペーパーホルダー２２０を設置している。このため、便座２０１に座った人が体を大きく捻る必要なしに、トイレットペーパーホルダー２２０を楽な姿勢で扱うことができる。これにより、病院に入院中の病人にとって、従来よりもトイレを使いやすくすることが可能となる。
【００２８】
なお、温水洗浄機能を作動させるリモコン（図示せず）は、左前方入隅壁１１６に取り付けられている。温水洗浄機能のリモコンについても、トイレットペーパー２２０と同様、従来よりも楽な姿勢で使用することができる。
【００２９】
手洗い器２３０は、後方壁１１２の左後方入隅壁１１５寄りに、後方壁１１２から前方に２０〜２５ｃｍ程度突出するように設置されている。この手洗い器２３０は、ボウルに手を挿入すると自動的に水が出る自動水栓機能を備えている。なお、自動水栓機能に代えて、吐水操作部を押すか、回すかによって吐水を行う水栓を備えていてもよい。
このような位置に手洗い器２３０を設置しているので、便座２０１に座りながら、手を伸ばして手を洗うことが可能である。また、自動水栓機能とすれば、さらに楽に手を洗うことが可能となる。
【００３０】
次に、図３〜４，図６を参照して、シャワールーム側の設備について説明する。
【００３１】
シャワー装置２４０は、後方壁１１２の右後方入隅壁１１８寄りに設置されている。このシャワー装置２４０は、トイレ・シャワー室に別々に供給された湯と水を適温に混合する温度調節機能付きの湯水混合栓２４１と、シャワーヘッド２４２と、湯水混合栓２４１で混合された適温湯をシャワーヘッド２４２に供給するシャワーホース２４３と、シャワーホース２４３を壁の複数の高さに保持するシャワーハンガー２４４と、を備えている。また、シャワーヘッド２４２は、吐水と止水を切替える止水弁（図示せず）と、止水弁を操作するボタン（図示せず）を備えている。
【００３２】
シャワーチェア２５０は、右側面壁１１４に設置されている。このシャワーチェア２５０は、上方に折り畳みすることにより、右側面壁１１４に沿うように収納することが可能である。
【００３３】
前述した湯水混合栓２４１は、シャワーチェア２５０に座った状態で使用者の手が届く範囲に設置されている。そのため、足腰が悪い車椅子利用者も、一人でシャワー浴を行うことが可能となる。
むろん、シャワー装置２４０を後方壁１１２に設置するのに代えて、右後方入隅壁１１８に設置してもよいし、シャワー装置２４０の湯水混合栓２４１を後方壁１１２に設置してシャワーハンガー２４４及びシャワーヘッド２４２を右後方入隅壁１１８に設置するようにしてもよい。
【００３４】
次に、図３〜７を参照して、トイレ・シャワー室ユニット内を移動する際に使用する手摺りについて説明する。
【００３５】
左前方入隅壁１１６及び右前方入隅壁１１７の正面壁１１１寄りには、入退室用手摺り２６１，２６２が設けられている。より詳しくは、この入退室用手摺り２６１，２６２は、左前方入隅壁１１６及び右前方入隅壁１１７の正面壁１１１寄りの端部において、出入口１０５に沿って縦方向に配置されている。
この入退室用手摺り２６１，２６２は、左前方入隅壁１１６及び右前方入隅壁１１７の正面壁１１１寄りの端部に設置され、３枚引き戸１２０を開くと、トイレ・シャワー室ユニット１００の外部から入退室用手摺り２６１，２６２の一部を視認することができる。言い換えれば、トイレ・シャワー室ユニット１００の正面から見て、入退室用手摺り２６１，２６２の一部が出入口１０５から露呈する大きさを有している。
足腰が弱った車椅子利用者は、車椅子でトイレ・シャワー室ユニット１００の出入口１０５まで車椅子で移動して３枚引き戸１２０を開き、出入口１０５のすぐそばに設置された入退室用手摺り２６１，２６２につかまって立ち上がり、トイレ・シャワー室ユニット１００内に移動するのである。この際、入退室用手摺り２６１，２６２が、出入口１０５の外側から視認可能なので、足腰が弱った車椅子利用者が一人でトイレ・シャワー室ユニット１００を使用する場合でも、安心して使用することが可能となる。また、入退室用手摺り２６１，２６２は、出入口１０５のすぐそばに設置されるので、車椅子から無理な姿勢で手摺りにつかまる必要もなく、安全性も高い。
【００３６】
また、大便器２００の近くには、可動手摺り２６３が設置されている。この可動手摺り２６３は、通常は、大便器２００の左右に、便座２０１に座った人の肘が乗る程度の高さに設置されている。可動手摺り２６３を使わない場合には、回動手摺り２６３を後方に回動させて直立させ、この直立状態を保持することも可能である。なお、この可動手摺り２６３は、前述した背もたれ２１０と一体化されて左後方入隅壁１１５に取り付けられている。
【００３７】
さらに、シャワー装置２４０の近くには、立った姿勢でシャワー浴をしたり、シャワーチェア２５０に座った状態で湯水混合栓２４１を操作する際につかまるシャワー用手摺り２６４が設置されている。このシャワー用手摺り２６４は、水平方向に延びる水平握り部２６４ａと、垂直方向に延びる垂直握り部２６４ｂとをＬ字状に連ねたものである。
【００３８】
このように、トイレ・シャワー室ユニット１００は、用途に応じた複数種類の手摺り２６１〜２６４を備えている。
【００３９】
これらの手摺りは、トイレ・シャワー室ユニット１００に入室する際には、具体的には以下のように利用される。
車椅子利用者がトイレを使用する場合には、車椅子でトイレ・シャワー室ユニット１００の出入口１０５まで車椅子で移動して障子１２１の引手１２１ａを引いて３枚引き戸１２０を開き、出入口１０５のすぐそばに設置された入退室用手摺り２６１につかまって立ち上がり、トイレ・シャワー室ユニット１００内に移動するのである。トイレ・シャワー室ユニット１００に入った後は、後述する可動手摺り２６３につかまりながら、便座２０１に着座する。この際、入退室用手摺り２６１が、出入口１０５の外側から視認可能なので、足腰が弱った車椅子利用者が一人でトイレ・シャワー室ユニット１００を使用する場合でも、安心して使用することが可能となる。また、入退室用手摺り２６１は、出入口１０５のすぐそばに設置されるので、車椅子から無理な姿勢で手摺りにつかまる必要もなく、安全性も高い。
また、車椅子使用者がシャワー浴をする場合には、車椅子でトイレ・シャワー室ユニット１００の出入口１０５まで車椅子で移動して障子１２３の引手１２３ａを引いて３枚引き戸１２０を開き、出入口１０５のすぐそばに設置された入退室用手摺り２６２につかまって立ち上がり、トイレ・シャワー室ユニット１００内に移動するのである。トイレ・シャワー室ユニット１００に入った後は、入退室用手摺り２６２につかまりながら、体の向きを変えてシャワーチェア２５０に着座する。この際、入退室用手摺り２６２が、出入口１０５の外側から視認可能なので、足腰が弱った車椅子利用者が一人でトイレ・シャワー室ユニット１００を使用する場合でも、安心して使用することが可能となる。また、入退室用手摺り２６２は、出入口１０５のすぐそばに設置されるので、車椅子から無理な姿勢で手摺りにつかまる必要もなく、安全性も高い。このように、本実施形態のトイレ・シャワー室ユニット１００では、シャワーチェア２５０へのアプローチ性が良好となる。
【００４０】
以上に説明したトイレ・シャワー室ユニット１００は、病院の個室に配備されるのに好適である。そのため、このトイレ・シャワー室ユニット１００には、ナースコール用スイッチが適宜設置される。具体的には、トイレ利用の際に使用するナースコール用スイッチ２７１が左前方入隅壁１１６に設置され、シャワー浴の際に使用するナースコール用スイッチ２７２が後方壁１１２の右後方入隅壁１１８寄りに設置されている。
図８は、本実施形態の病院用トイレ・シャワー室ユニット１００を病院の個室に設置した一例を示す図である。
【００４１】
図８に示すように、このトイレ・シャワー室ユニット１００は、病院の個室に出入りする通路に隣接するように配置される。前述したように、このトイレ・シャワー室ユニット１００は、内部の左後方入隅壁１１５から出入口１０５を向くように大便器２００を設置しているので、トイレ・シャワー室ユニット１００の奥行寸法及び横幅寸法が従来よりも小さくなっている。これにより、個室に出入りするための通路の広さを大きく確保することができる。このため、車椅子利用者にとっても、トイレ・シャワー室ユニット１００が利用しやすいものとなる。
【００４２】
さて、本実施形態のトイレ・シャワー室ユニット１００は、前述したように、大便器２００が取り付けられる左後方入隅壁１１５は、後方壁１１２及び左側面壁１１３に対して平面視で約４５度の角度で接しているから、大便器２００は、トイレ・シャワー室ユニット１００の内部で、後方壁１１２及び左側面壁１１３に対して平面視で約４５度の角度でトイレ・シャワー室ユニット１００の出入口１０５を向くように設けられている。また、従来よりもトイレ・シャワー室ユニット１００の奥行寸法が小さくなるように構成されている。このため、便座２０１に座った使用者は、手を伸ばせば３枚引き戸１２０の引手１２１ａをつかんで開くことが可能である（図９参照）。さらに、手を伸ばせば、開いた３枚引き戸１２０の外に置いていた車椅子にも手が届くのである（図１０参照）。
そのため、便座２０１に座った人が立ち上がることなく、トイレ・シャワー室ユニット１００の外にある車椅子を引き寄せることが可能となるので、足腰が弱まった車椅子利用者が便座２０１から車椅子への移乗を一人で安全に行うことができる。これにより、トイレ・シャワー室ユニット１００と個室のベッドとの間を一人で行き来することができる。そのため、車椅子利用者のトイレ使用時における介護者の付き添いが不要となる。
【００４３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ・シャワー室ユニット１００の外観を直方体状とし、内部のみが平面視で八角形状となるように各入隅壁を設けてもよい。さらには、トイレ・シャワー室ユニット１００の内部を八角以上の多角形状にしたものも本発明に含まれる。また、トイレ・シャワー室ユニット１００は、シャワーチェア２５０を備えなくてもよい。また、トイレ・シャワー室ユニット１００は、トイレルームとシャワールームの位置を入れ替えることも可能である。さらに、大便器２００の便座２０１は温水洗浄機能を備えていない普通便座であってもよい。
【符号の説明】
【００４４】
１００    トイレ・シャワー室ユニット
１０５    出入口
１１１    正面壁（一方の長辺側の壁面）
１１２    後方壁（他方の長辺側の壁面）
１１３    左側面壁（一方の短辺側の壁面）
１１４    右側面壁（他方の短辺側の壁面）
１１５    左後方入隅壁（第一の入隅壁面）
１１６    左前方入隅壁（第二の入隅壁面）
１２０    三枚引き戸
１２１    一方の短辺側の障子
１２１ａ  一方の短辺側の障子の引手
１２３    他方の短辺側の障子
１２４ａ  他方の短辺側の障子の引手
２００    洋式大便器
２０１    便座
２２０    トイレットペーパーホルダー
２４０    シャワー装置
２４２    シャワーヘッド
２４４    シャワーハンガー
２５０    シャワーチェア
２６１    入退室用手摺り
２６２    入退室用手摺り
【図１】
0005954682.tif 000002
【図２】
0005954682.tif 000003
【図３】
0005954682.tif 000004
【図４】
0005954682.tif 000005
【図５】
0005954682.tif 000006
【図６】
0005954682.tif 000007
【図７】
0005954682.tif 000008
【図８】
0005954682.tif 000009
【図９】
0005954682.tif 000010
【図１０】
0005954682.tif 000011